(57)【要約】【課題】いかなるサイズのフォークリフト爪であっても安全にフォークリフトによる運搬が可能な空気調和機の室外ユニットを提供すること。【解決手段】本発明の空気調和機の室外ユニットは、機械類を内部に有する筐体６と、筐体６の下部にフォークリフト爪を挿入する挿入口を有する脚とを備え、挿入口の形状を、上辺が下辺より短い台形形状としたことにより、フォークリフト爪８が如何なるサイズであっても、安全に室外機の運搬を行うことができる。【選択図】図１
2012220115.tif 000002
【特許請求の範囲】
【請求項１】
機械類を内部に有する筐体と、前記筐体の下部にフォークリフト爪を挿入する挿入口を有する脚とを備え、前記挿入口の形状を、上辺が下辺より短い台形形状としたことを特徴とする空気調和機の室外ユニット。
【請求項２】
前記挿入口の上辺が下辺より短い台形形状とし、前記上辺と前記下辺とを結ぶ両側辺を凸凹形状としたことを特徴とする請求項１に記載の空気調和機の室外ユニット。
【請求項３】
前記凸凹形状は、前記上辺に平行な形状を有することを特徴とする請求項２に記載の空気調和機の室外ユニット。
【発明の詳細な説明】
【技術分野】
【０００１】
本発明は、空気調和機の室外ユニットに関する。
【背景技術】
【０００２】
近年、大能力タイプのルームエアコンの室外ユニットやパッケージエアコンの室外ユニットでは、大型化に伴う製品重量の増加により、空気調和機本体の運搬性を向上させるためにフォークリフトによる運搬が可能な開口部を設けた構成となっている（例えば、特許文献１参照）。
【０００３】
図３は従来の空気調和機の室外ユニットの外観図である。図３において、空気調和機の室外ユニット１は、天板２、前板３、側板４で形成される外箱５を備えた筐体６を有する。
【０００４】
そして、筐体６の下面には、前後に室外ユニット１を支える一対の脚７が設けられ、この脚７は、室外ユニット１の奥行き方向に運搬のためのフォークリフト爪８を挿入する挿入口７ａが形成されている。
【先行技術文献】
【特許文献】
【０００５】
【特許文献１】特開２００５−２６５２３８号公報
【発明の概要】
【発明が解決しようとする課題】
【０００６】
しかしながら、前記従来の構成は、運搬に使用するフォークリフトの大きさによってはフォークリフト爪のサイズが異なり、小さなフォークリフト爪を有するフォークリフトを使用した場合に、挿入口にフォークリフト爪を挿入して運搬すると、運搬時の振動や衝撃によってフォークリフト爪と挿入口とにズレが生じてしまうという課題を有していた。
【０００７】
本発明は、前記従来の課題を解決するもので、いかなるサイズのフォークリフト爪であっても安全にフォークリフトによる運搬が可能な空気調和機の室外ユニットを提供することを目的とする。
【課題を解決するための手段】
【０００８】
前記従来の課題を解決するために本発明は、機械類を内部に有する筐体と、筐体の下部にフォークリフト爪を挿入する挿入口を有する脚とを備え、挿入口の形状を、上辺が下辺より短い台形形状としたことにより、フォークリフト爪が如何なるサイズであっても、安全に室外機の運搬を行うことができる。
【発明の効果】
【０００９】
本発明は、いかなるサイズのフォークリフト爪であっても安全にフォークリフトによる運搬が可能な空気調和機の室外ユニットを提供することができる。
【図面の簡単な説明】
【００１０】
【図１】本発明の実施の形態１における空気調和機の室外ユニットの斜視図
【図２】（ａ）本発明の実施の形態１における要部正面図（ｂ）本発明の実施の形態２における要部正面図
【図３】従来の空気調和機の室外ユニットの斜視図
【発明を実施するための形態】
【００１１】
第１の発明の空気調和機の室外ユニットは、機械類を内部に有する筐体と、筐体の下部にフォークリフト爪を挿入する挿入口を有する脚とを備え、挿入口の形状を、上辺が下辺より短い台形形状としたことにより、フォークリフト爪が如何なるサイズであっても、安全に室外機の運搬を行うことができる。
【００１２】
第２の発明の空気調和機の室外ユニットは、特に第１の発明において、挿入口の上辺が下辺より短い台形形状とし、上辺と下辺とを結ぶ両側辺を凸凹形状としたことにより、より確実にフォークリフトの爪に凸凹形状が引っ掛かり、安全に運搬することができる。
【００１３】
第３の発明の空気調和機の室外ユニットは、特に第１または第２の発明において、凸凹形状は、上辺に平行な形状を有することにより、フォークリフトの爪に平行な形状の部分が引っ掛かり、フォークリフトと凸凹形状との接触面積が大きくなるので、より安全に運搬することができる。
【００１４】
以下、本発明の実施の形態について、図面を参照しながら説明する。なお、この実施の形態によって本発明が限定されるものではない。
【００１５】
（実施の形態１）
本発明の実施の形態１における空気調和機の室外ユニットは、従来例と同様であるので説明は省略する。また、従来例の形態と同一部分については同一符号を付してその説明を省略する。
【００１６】
図１は、本発明の実施の形態１における空気調和機の室外ユニットの斜視図で、図２は同室外ユニットの要部正面図である。
【００１７】
図１、図２において、筐体６の下面前後に設けた室外ユニット１を支える一対の脚７には、フォークリフト爪８を挿入するための左右一対の挿入口７ａが設けられている。また挿入口７ａは一対の脚７のいずれにも形成し、それぞれが対向して設けられている。すなわち、一方向からフォークリフト爪８を挿入すると、もう片方の脚７に設けた挿入口にも貫通するように構成されている。
【００１８】
図２（ａ）は、脚７の正面図である。図２（ａ）に示すように、挿入口７ａの形状は、上辺が下辺よりも短い台形形状となっており、略左右対称の台形形状となっている。このように略左右対称の台形形状とすることによって、左右均等に挿入口７ａとフォークリフト爪８とが掛かるようになるため、安全性も向上する。
【００１９】
以上のように構成された空気調和機の室外ユニットについて、以下、フォークリフトでの運搬時の説明を行う。
【００２０】
まず、フォークリフトにより室外ユニットを運搬する際には、挿入口７ａにフォークリフト爪８を挿入し、一対の脚７のそれぞれに設けた挿入口７ａを貫通するようにフォークリフト８を挿入する。
【００２１】
その後、挿入したフォークリフト爪８を徐々に上方に持ち上げると、台形形状の挿入口７ａの両側辺７ｂと、フォークリフト爪８とが引っ掛かり、室外ユニットが上方に持ち上がる。すなわち、フォークリフト爪８の幅寸法と、両側辺７ｂ間の幅寸法とが一致した時点で、室外ユニット１の運搬が可能になる。
【００２２】
このように、本実施の形態によれば、安価な構成で安全に室外ユニットを運搬できるようになる。
【００２３】
（実施の形態２）
図２（ｂ）は、本発明の実施の形態２における挿入口７ａの正面図である。実施の形態１と異なる箇所は、両側辺７ｂに凸凹形状７ｃを設けたことである。次に、この凸凹形状について説明する。なお、実施の形態１と同じ部位については、同じ符号を付して説明を省略する。
【００２４】
単純に凸凹形状を設けただけでも、確実にフォークリフト爪８と両側辺７ｂとが引っ掛かる構成となるため、より安全に運搬することができるが、さらに、本実施の形態では、凸凹形状は、上辺と並行となる部位を有している。
【００２５】
これは下辺はフォークリフト爪８と引っ掛かる構成ではないので、水平でなくても良いが、上辺に関してはフォークリフト爪８が小さければ最終引っ掛かる構成となっているので、上辺は水平にしておく必要がある。
【００２６】
よって、凸凹形状の一部に上辺と並行となる形状を設けておくことで、フォークリフト爪８と凸凹形状との接触面積を大きくして、確実に運搬することができる。
【産業上の利用可能性】
【００２７】
以上のように本発明は、空気調和機の室外ユニットだけに限らず、重量物全般に適用できる。
【符号の説明】
【００２８】
７  脚
７ａ  挿入口
７ｃ  凸凹形状
【図１】
2012220115.tif 000003
【図２】
2012220115.tif 000004
【図３】
2012220115.tif 000005